(57)【要約】      （修正有）【課題】１個のオープナーで飲料容器等に螺着された外径が相違する複数サイズのキャップを回動して取外すことができるようにしたキャップオープナーを提供する。【解決手段】パウチ容器の口部に螺着された外径が小径のパウチ用キャップと、ボトル容器の口部に螺着された外径が大径のボトル用キャップに関して、筒状の外周面を備えたブロック体６の上面に小径のパウチ用キャップを嵌入係合自在とするパウチ用筒孔７を凹設すると共に、下面に大径のボトル用キャップを嵌入係合自在とするボトル用筒孔８を凹設し、ブロック体の中央に位置して上下方向に延びる仮想の軸線Ｐに関して、パウチ用筒孔とボトル用筒孔を同心同軸上に配置している。【選択図】図２
0003226779.tif 000002
【実用新案登録請求の範囲】
【請求項１】
パウチ容器の口部に螺着された外径が小径のパウチ用キャップ(1)と、ボトル容器の口部に螺着された外径が大径のボトル用キャップ(3)に関して、
筒状の外周面を備えたブロック体(6)の上面に前記パウチ用キャップを嵌入係合自在とするパウチ用筒孔(7)を凹設すると共に、下面に前記ボトル用キャップを嵌入係合自在とするボトル用筒孔(8)を凹設しており、
ブロック体(6)の中央に位置して上下方向に延びる仮想の軸線(P)に関して、前記パウチ用筒孔(7)とボトル用筒孔(8)を同心同軸上に配置して成ることを特徴とするキャップオープナー。
【請求項２】
ほぼ平坦な頂面から基部に向けて次第に拡がるテーパ外周面(2)を備えた裁頭円錐形に形成され、頂面の外径を相違する複数サイズとされたパウチ用キャップ(1)のうち、外径を大径としたパウチ用大径キャップ(1b)と、外径を小径としたパウチ用小径キャップ(1a)に関して、
前記ブロック体(6)は、上面から前記パウチ用大径キャップ(1b)のテーパ外周面を嵌入係合自在とするパウチ用大径筒孔(7b)を凹設し、該大径テーパ筒孔の底部から前記パウチ用小径キャップ(1a)のテーパ外周面を嵌入係合自在とするパウチ用小径筒孔(7a)を同軸上に凹設して成ることを特徴とする請求項１に記載のキャップオープナー。
【請求項３】
ボトル用キャップのうち、外径を大径としたボトル用大径キャップ(3b)と、外径を小径としたボトル用小径キャップ(3a)に関して、
前記ブロック体(6)は、下面から前記ボトル用大径キャップ(3b)を嵌入係合自在とするボトル用大径筒孔(8b)を凹設し、該大径筒孔の底部から前記ボトル用小径キャップ(3a)を嵌入係合自在とするボトル用小径筒孔(8a)を同軸上に凹設して成ることを特徴とする請求項１又は２に記載のキャップオープナー。
【請求項４】
前記ブロック体(6)は、前記軸線(P)を中心とする筒状の外周面に関して、上下所定中間位置に形成された括れ部(9)から、ブロック体の上面に向けて次第に拡がる上側テーパ外周面(10)と、ブロック体の下面に向けて次第に拡がる下側テーパ外周面(11)を形成し、
前記括れ部(9)は、上側テーパ外周面と下側テーパ外周面に跨って上下方向に延びるリブ(12)を設けて成ることを特徴とする請求項１、２又は３に記載のキャップオープナー。
【考案の詳細な説明】
【技術分野】
【０００１】
本考案は、１個のオープナーで飲料容器等に螺着された外径が相違する複数サイズのキャップを回動して取外すことができるようにしたキャップオープナーに関する。
【背景技術】
【０００２】
例えば、飲料用のボトル容器やパウチ容器には、飲み口にキャップが螺着されている。そこで、ユーザは、キャップを回動して取外すことにより、飲み口を開口する。しかしながら、キャップを回動するために十分な握力等が必要であり、婦女子や児童には酷である。
【０００３】
このため、キャップを嵌入係合自在とする筒孔を設けたオープナーが提供されている。オープナーは、筒孔にキャップを嵌入係合させた状態で、回動中心から離れた外周面によりグリップを構成しているので、ユーザは、オープナーの全体を手の平で握持して回動させることにより、軽い力でキャップを回動させることができる。
【先行技術文献】
【特許文献】
【０００４】
【特許文献１】特開２００４−２１７２８２号公報
【考案の概要】
【考案が解決しようとする課題】
【０００５】
ところで、飲料容器のキャップは、外径を大小相違する複数サイズのものが提供されている。本考案者の市場調査によれば、飲料容器は、プラスチックシートを重ねて周囲を溶着して成るパウチ容器と、ペットボトルから成るボトル容器に大別される。そして、パウチ容器の口部に螺着されたパウチ用キャップとボトル容器の口部に螺着されたボトル用キャップの外径を比較すると、パウチ用キャップの方が外径を小径とされ、ボトル用キャップの方が外径を大径とされている。
【０００６】
更に市場を調査すると、パウチ用キャップは、外径のサイズを相違する数通りのものが流通しており、ボトル用キャップは、外径のサイズを相違する２通りのものが流通している。
【０００７】
従って、何れか１つのサイズのキャップに嵌入係合可能としたオープナーを提供しても、外径が相違する他サイズのキャップには嵌入係合させることができないという問題がある。
【０００８】
本考案は、この点に鑑み、１個のオープナーで外径が相違する複数サイズのキャップを回動して取外すことができるようにしたキャップオープの提供を目的としている。
【課題を解決するための手段】
【０００９】
そこで、本考案が手段として構成したところは、パウチ容器の口部に螺着された外径が小径のパウチ用キャップと、ボトル容器の口部に螺着された外径が大径のボトル用キャップに関して、筒状の外周面を備えたブロック体の上面に前記パウチ用キャップを嵌入係合自在とするパウチ用筒孔を凹設すると共に、下面に前記ボトル用キャップを嵌入係合自在とするボトル用筒孔を凹設しており、ブロック体の中央に位置して上下方向に延びる仮想の軸線に関して、前記パウチ用筒孔とボトル用筒孔を同心同軸上に配置して成る点にある。
【００１０】
パウチ用キャップは、ほぼ平坦な頂面から基部に向けて次第に拡がるテーパ外周面を備えた裁頭円錐形に形成され、頂面の外径を相違する複数サイズとされたパウチ用キャップが提供されている。そこで、外径を大径としたパウチ用大径キャップと、外径を小径としたパウチ用小径キャップに関して、前記ブロック体は、上面から前記パウチ用大径キャップのテーパ外周面を嵌入係合自在とするパウチ用大径筒孔を凹設し、該大径テーパ筒孔の底部から前記パウチ用小径キャップのテーパ外周面を嵌入係合自在とするパウチ用小径筒孔を同軸上に凹設することが好ましい。
【００１１】
ボトル用キャップは、外径を大径としたボトル用大径キャップと、外径を小径としたボトル用小径キャップが提供されている。そこで、前記ブロック体は、下面から前記ボトル用大径キャップを嵌入係合自在とするボトル用大径筒孔を凹設し、該大径筒孔の底部から前記ボトル用小径キャップを嵌入係合自在とするボトル用小径筒孔を同軸上に凹設することが好ましい。
【００１２】
本考案の好ましい実施形態において、前記ブロック体は、前記軸線を中心とする筒状の外周面に関して、上下所定中間位置に形成された括れ部から、ブロック体の上面に向けて次第に拡がる上側テーパ外周面と、ブロック体の下面に向けて次第に拡がる下側テーパ外周面を形成しており、前記括れ部は、上側テーパ外周面と下側テーパ外周面に跨って上下方向に延びるリブを設けている。
【考案の効果】
【００１３】
本考案によれば、１個のオープナーで飲料容器等に螺着された外径が相違する複数サイズのキャップを回動して取外すことができるようにした便利なキャップオープナーを提供することが可能になる。
【図面の簡単な説明】
【００１４】
【図１】パウチ容器の口部に螺着されたパウチ用キャップと、ボトル容器の口部に螺着されたボトル用キャップを示しており、（Ａ）はパウチ用小径キャップの説明図、（Ｂ）はパウチ用大径キャップの説明図、（Ｃ）はボトル用小径キャップの説明図、（Ｄ）はボトル用大径キャップの説明図である。
【図２】本考案の１実施形態に関して、（Ａ）は斜視図、（Ｂ）は中央縦断面図である。
【図３】横断面に関して、（Ａ）は図２（Ｂ）のＡ−Ａ断面図、（Ｂ）は図２（Ｂ）のＢ−Ｂ断面図である。
【図４】横断面に関して、（Ａ）は図２（Ｂ）のＣ−Ｃ断面図、（Ｂ）は図２（Ｂ）のＤ−Ｄ断面図である。
【図５】使用方法に関して、（Ａ）はパウチ用小径キャップを嵌入係合した使用状態を示す断面図、（Ｂ）はパウチ用大径キャップを嵌入係合した使用状態を示す断面図である。
【図６】使用方法に関して、（Ａ）はボトル用小径キャップを嵌入係合した使用状態を示す断面図、（Ｂ）はボトル用大径キャップを嵌入係合した使用状態を示す断面図である。
【考案を実施するための形態】
【００１５】
以下図面に基づいて本考案の好ましい実施形態を詳述する。
【００１６】
（キャップの種類）
上述のように、飲料容器のキャップには、パウチ容器に螺着されたパウチ用キャップと、ボトル容器に螺着されたボトル用キャップが存在し、相互に外径を相違している。しかも、パウチ用キャップには、外径のサイズを相違する数通りのものが存在し、ボトル用キャップには、外径のサイズを相違する２通りのものが存在している。
【００１７】
（パウチ用キャップ）
図１（Ａ）（Ｂ）に示すように、パウチ容器の飲み口に螺着されたパウチ用キャップ１は、ほぼ平坦な頂面から基部に向けて次第に拡がるテーパ外周面２を備えた裁頭円錐形に形成されており、図示省略しているが、テーパ外周面２に縦筋状の凹凸が設けられている。
【００１８】
外径のサイズを相違する数通りのパウチ用キャップ１は、図１（Ａ）に示すような最小径のパウチ用小径キャップ１ａと、図１（Ｂ）に示すような最大径のパウチ用大径キャップ１ｂが存在している。
【００１９】
通常、小径のパウチ用キャップ１（１ａ）は、上下方向に長いロングキャップとされており、図１（Ａ）に示す最小径のパウチ用小径キャップ１ａの場合、頂面の外径Ｄ１が約１５ｍｍとされている。そして、このようなロングキャップは、図示省略しているが、頂面の外径をＤ１よりも僅かに大きくしたものも存在している。
【００２０】
これに対して、大径のパウチ用キャップ１（１ｂ）は、上下方向に短いショートキャップとされており、図１（Ｂ）に示す最大径のパウチ用大径キャップ１ｂは、頂面の外径Ｄ２が約２１ｍｍに形成されている。そして、このようなショートキャップは、図示省略しているが、頂面の外径をＤ２よりも僅かに小さくしたものも存在している。
【００２１】
（ボトル用キャップ）
図１（Ｃ）（Ｄ）に示すように、ボトル容器の飲み口に螺着されたボトル用キャップ３は、頂面から基部に向けてほぼ同径に延びる外周面４を備えた円柱形に形成されており、図示省略しているが、外周面４に縦筋状の凹凸が設けられている。
【００２２】
外径のサイズを相違する２通りのボトル用キャップ３は、図１（Ｃ）に示すようなボトル用小径キャップ３ａと、図１（Ｄ）に示すようなボトル用大径キャップ３ｂが存在している。
【００２３】
図１（Ｃ）に示すボトル用小径キャップ３ａは、外径Ｄ３が約３０ｍｍに形成されている。これに対して、図１（Ｄ）に示すボトル用大径キャップ３ｂは、外径Ｄ４が約３２ｍｍに形成されている。
【００２４】
（オープナーの構成）
図２ないし図４は、本考案の１実施形態に係るオープナー５を示しており、オープナー５は、プラスチックを一体成形することにより上下方向に延びる仮想の軸線Ｐを中心とする筒状の外周面を備えたブロック体６を構成している。
【００２５】
ブロック体６は、上面に前記パウチ用キャップ１を嵌入係合自在とするパウチ用筒孔７を凹設すると共に、下面に前記ボトル用キャップ３を嵌入係合自在とするボトル用筒孔８を凹設しており、前記軸線Ｐに関して、パウチ用筒孔７とボトル用筒孔８を同心同軸上に配置している。
【００２６】
前記ブロック体６の筒状の外周面は、上下所定中間位置に形成された括れ部９から、該ブロック体６の上面に向けて次第に拡がる上側テーパ外周面１０と、該ブロック体６の下面に向けて次第に拡がる下側テーパ外周面１１を形成しており、前記括れ部９は、上側テーパ外周面１０と下側テーパ外周面１１に跨って上下方向に延びるリブ１２を設けている。
【００２７】
従って、ユーザは、ブロック体６の全体を手の平で包み込むように握持することができ、括れ部９に指先を沿わせて軸線Ｐの廻りに回動させる際、リブ１２により手からブロック体６に対して回動力を好適に伝達することができる。
【００２８】
（パウチ用筒孔）
図示実施形態の場合、図２及び図３に示すように、前記パウチ用筒孔７は、ブロック体６の上面から凹設されたパウチ用大径筒孔７ｂと、該大径筒孔７ｂの底部から異径段部１３を介して凹設されたパウチ用小径筒孔７ａにより構成されており、両筒孔７ｂ、７ａを軸線Ｐに対して同心同軸上に配置している。
【００２９】
パウチ用小径筒孔７ａは、前記パウチ用小径キャップ１ａのテーパ外周面２を嵌入係合自在とする内径ｄ１とテーパ状の内周面１４ａを備えており、内周面に縦筋状の凹凸を形成することが好ましい。
【００３０】
パウチ用大径筒孔７ｂは、前記パウチ用大径キャップ１ｂのテーパ外周面２を嵌入係合自在とする内径ｄ２とテーパ状の内周面１４ｂを備えており、内周面に縦筋状の凹凸を形成することが好ましい。
【００３１】
これにより、オープナー５は、後述するように、パウチ用小径キャップ１ａとパウチ用大径キャップ１ｂを選択的に嵌入係合自在に構成されているが、本考案は、小径キャップ１ａと大径キャップ１ｂの何れか一方だけを嵌入係合自在とするように、パウチ用小径筒孔７ａとパウチ用大径筒孔７ｂの一方だけを設けたものとして構成しても良い。この場合、オープナー５は、パウチ用キャップ１に関しては、１サイズのキャップ１ａ又は１ｂだけしか嵌入係合することができないが、下面側にボトル用筒孔８を備えているので、１個のオープナー５により、飲料容器等に螺着された外径が相違する複数サイズのキャップを回動取外し可能とする本考案の目的を達することができる。
【００３２】
（ボトル用筒孔）
図示実施形態の場合、図２及び図４に示すように、前記ボトル用筒孔８は、ブロック体６の下面から凹設されたボトル用大径筒孔８ｂと、該大径筒孔８ｂの底部から異径段部１５を介して凹設されたボトル用小径筒孔８ａにより構成されており、両筒孔８ｂ、８ａを軸線Ｐに対して同心同軸上に配置している。
【００３３】
ボトル用小径筒孔８ａは、前記ボトル用小径キャップ３ａの外周面４を嵌入係合自在とする内径ｄ３と内周面１６ａを備えており、内周面に縦筋状の凹凸を形成することが好ましい。
【００３４】
ボトル用大径筒孔８ｂは、前記ボトル用大径キャップ３ｂの外周面４を嵌入係合自在とする内径ｄ４と内周面１６ｂを備えており、内周面に縦筋状の凹凸を形成することが好ましい。
【００３５】
これにより、オープナー５は、後述するように、ボトル用小径キャップ３ａとボトル用大径キャップ３ｂを選択的に嵌入係合自在に構成されているが、本考案は、小径キャップ３ａと大径キャップ３ｂの何れか一方だけを嵌入係合自在とするように、ボトル用小径筒孔８ａとボトル用大径筒孔８ｂの一方だけを設けたものとして構成しても良い。この場合、オープナー５は、ボトル用キャップ３に関しては、１サイズのキャップ３ａ又は３ｂだけしか嵌入係合することができないが、上面側にパウチ用筒孔７を備えているので、１個のオープナー５により、飲料容器等に螺着された外径が相違する複数サイズのキャップを回動取外し可能とする本考案の目的を達することができる。
【００３６】
尚、ボトル用小径筒孔８ａ及びボトル用大径筒孔８ｂの内周面１６ａ、１６ｂは、図２（Ｂ）に示すように、孔奥方向に向けて次第に小径となる僅かなテーパ面を形成し、ボトル用キャップ３ａ、３ｂを進入し易くするように構成することが好ましい。
【００３７】
（パウチ用キャップの回動による取外し）
オープナー５によりパウチ用キャップ１を回動することにより取外す方法を図５に示している。この場合、オープナー５は、パウチ用筒孔７を下向きとして使用される。
【００３８】
（ロングタイプのパウチ用小径キャップ）
図５（Ａ）に示すパウチ用小径キャップ１ａは、頂面の外径Ｄ１（図１（Ａ））がパウチ用小径筒孔７ａの底部の内径ｄ１（図３（Ｂ））とほぼ等しいので、該小径キャップ１ａを該小径筒孔７ａに差し込むと、隙間Ｓ１で示すように、該小径キャップ１ａの頂面が該小径筒孔７ａの孔底の近傍まで嵌入され、相互に周面を係合する。そこで、オープナー５を手で握持して回動すると、小径キャップ１ａは、螺着されたネジを緩める方向に連れ廻りされ、パウチ容器の飲み口から取外される。
【００３９】
図示しないが、上述のように、ロングタイプのパウチ用キャップは、最小径とされたパウチ用小径キャップ１ａの外径Ｄ１よりも頂面の外径を僅かに大径としたものも存在する。このような僅かに大径とされたロングタイプのパウチ用キャップは、パウチ用小径筒孔７ａに対して浅く、つまり、隙間がＳ１よりもやや大きい位置までは小径筒孔７ａに嵌入し係合させることができるので、この場合でも、オープナー５により回動させて飲み口から取外すことが可能である。
【００４０】
（ショートタイプのパウチ用小径キャップ）
図５（Ｂ）に示すパウチ用大径キャップ１ｂは、頂面の外径Ｄ２（図１（Ｂ））がパウチ用大径筒孔７ｂの深さ方向の中間部の内径ｄ２（図３（Ａ））とほぼ等しいので、該大径キャップ１ｂを該大径筒孔７ｂに差し込むと、隙間Ｓ２で示すように、該大径キャップ１ｂの頂面が該大径筒孔７ｂの底部（異径段部１３）から離間した位置に停止された状態で嵌入され、相互に周面を係合する。そこで、オープナー５を手で握持して回動すると、大径キャップ１ｂは、螺着されたネジを緩める方向に連れ廻りされ、パウチ容器の飲み口から取外される。
【００４１】
図示しないが、上述のように、ショートタイプのパウチ用キャップは、最大径とされたパウチ用大径キャップ１ｂの外径Ｄ２よりも頂面の外径を僅かに小径としたものも存在する。このような僅かに小径とされたショートタイプのパウチ用キャップは、パウチ用大径筒孔７ｂに対して深く、つまり、異径段部１３に向けて隙間が前記Ｓ２よりも小さくなる位置まで嵌入し係合させることができるので、この場合でも、オープナー５により回動させて飲み口から取外すことが可能である。
【００４２】
（ボトル用キャップの回動による取外し）
オープナー５によりボトル用キャップ３を回動することにより取外す方法を図６に示している。この場合、オープナー５は、ボトル用筒孔８を下向きとして使用される。
【００４３】
（ボトル用小径キャップ）
図６（Ａ）に示すボトル用小径キャップ３ａは、外径Ｄ３（図１（Ｃ））がボトル用小径筒孔８ａの内径ｄ３（図４（Ａ））とほぼ等しいので、該小径キャップ３ａを該小径筒孔８ａに差し込むと、該小径キャップ３ａの頂面が該小径筒孔８ａの孔底の近傍まで嵌入され、相互に周面を係合する。そこで、オープナー５を手で握持して回動すると、小径キャップ３ａは、螺着されたネジを緩める方向に連れ廻りされ、ボトル容器の飲み口から取外される。
【００４４】
（ボトル用大径キャップ）
図６（Ｂ）に示すボトル用大径キャップ３ｂは、外径Ｄ４（図１（Ｄ））がボトル用大径筒孔８ｂの内径ｄ４（図４（Ｂ））とほぼ等しいので、該大径キャップ３ｂを該大径筒孔８ｂに差し込むと、該大径キャップ３ｂの頂面が異径段部１５の近傍まで嵌入され、相互に周面を係合する。そこで、オープナー５を手で握持して回動すると、大径キャップ３ｂは、螺着されたネジを緩める方向に連れ廻りされ、ボトル容器の飲み口から取外される。
【符号の説明】
【００４５】
１  パウチ用キャップ
１ａ  パウチ用小径キャップ
１ｂ  パウチ用大径キャップ
２  テーパ外周面
３  ボトル用キャップ
３ａ  ボトル用小径キャップ
３ｂ  ボトル用大径キャップ
４  外周面
５  オープナー
６  ブロック体
７  パウチ用筒孔
７ａ  パウチ用小径筒孔
７ｂ  パウチ用大径筒孔
８  ボトル用筒孔
８ａ  ボトル用小径筒孔
８ｂ  ボトル用大径筒孔
９  括れ部
１０  上側テーパ外周面
１１  下側テーパ外周面
１２  リブ
１３  異径段部
１４ａ、１４ｂ  内周面
１５  異径段部
１６ａ、１６ｂ  内周面
【図１】
0003226779.tif 000003
【図２】
0003226779.tif 000004
【図３】
0003226779.tif 000005
【図４】
0003226779.tif 000006
【図５】
0003226779.tif 000007
【図６】
0003226779.tif 000008
【手続補正書】
【提出日】令和2年3月31日(2020.3.31)
【手続補正１】
【補正対象書類名】実用新案登録請求の範囲
【補正対象項目名】全文
【補正方法】変更
【補正の内容】
【実用新案登録請求の範囲】
【請求項１】
パウチ容器の口部に螺着された外径が小径のパウチ用キャップ(1)と、ボトル容器の口部に螺着された外径が大径のボトル用キャップ(3)に関して、
筒状の外周面を備えたブロック体(6)の上面に前記パウチ用キャップを嵌入係合するパウチ用筒孔(7)を凹設すると共に、下面に前記ボトル用キャップを嵌入係合するボトル用筒孔(8)を凹設しており、
ブロック体(6)の中央に位置して上下方向に延びる仮想の軸線(P)に関して、前記パウチ用筒孔(7)とボトル用筒孔(8)を同心同軸上に配置して成ることを特徴とするキャップオープナー。
【請求項２】
ほぼ平坦な頂面から基部に向けて次第に拡がるテーパ外周面(2)を備えた裁頭円錐形に形成され、頂面の外径を相違する複数サイズとされたパウチ用キャップ(1)のうち、外径を大径としたパウチ用大径キャップ(1b)と、外径を小径としたパウチ用小径キャップ(1a)に関して、
前記ブロック体(6)は、上面から前記パウチ用大径キャップ(1b)のテーパ外周面を嵌入係合するパウチ用大径筒孔(7b)を凹設し、該パウチ用大径筒孔(7b)の底部から前記パウチ用小径キャップ(1a)のテーパ外周面を嵌入係合するパウチ用小径筒孔(7a)を同軸上に凹設して成ることを特徴とする請求項１に記載のキャップオープナー。
【請求項３】
ボトル用キャップのうち、外径を大径としたボトル用大径キャップ(3b)と、外径を小径としたボトル用小径キャップ(3a)に関して、
前記ブロック体(6)は、下面から前記ボトル用大径キャップ(3b)を嵌入係合するボトル用大径筒孔(8b)を凹設し、該ボトル用大径筒孔(8b)の底部から前記ボトル用小径キャップ(3a)を嵌入係合するボトル用小径筒孔(8a)を同軸上に凹設して成ることを特徴とする請求項１又は２に記載のキャップオープナー。
【請求項４】
前記ブロック体(6)は、前記軸線(P)を中心とする筒状の外周面に関して、上下所定中間位置に形成された括れ部(9)から、ブロック体の上面に向けて次第に拡がる上側テーパ外周面(10)と、ブロック体の下面に向けて次第に拡がる下側テーパ外周面(11)を形成し、
前記括れ部(9)は、上側テーパ外周面と下側テーパ外周面に跨って上下方向に延びるリブ(12)を設けて成ることを特徴とする請求項１、２又は３に記載のキャップオープナー。